(57)【要約】【課題】簡単な構成で、信頼性およびユーザーの操作性を向上し、小サイズから大サイズまでの原稿を適切にストックする原稿排出装置を提供する。また、この原稿排出装置を備える画像形成装置を提供することを課題とする。【解決手段】第１の原稿排出ガイド２ａと第２の原稿排出ガイド２ｂの２分割構成とし、第２の原稿排出ガイド２ｂを回動可能にし、第１の原稿排出ガイド２ａに凸形状部９を設け、第２の原稿排出ガイドへ凹形状部１０、１１をの２ヶ所設けて、第２の原稿排出ガイド２ｂを最大延長時と収納時とに、クリック感を付けて勘合させ、さらに、第２の原稿排出ガイド２ｂの先端が下傾斜している形状であることを特徴とする。【選択図】図４
2005132511.tif 000002
【特許請求の範囲】
【請求項１】
原稿を原稿読み取り装置内の搬送通路に沿って搬送して、原稿排出口の後方の排紙カバーに取り付けられた原稿排出ガイドによって、排出されてくる原稿を保持する原稿排出装置において、
前記原稿排出ガイドは、第１の原稿排出ガイドと第２の原稿排出ガイドの２分割構成とし、第２の原稿排出ガイドを回動可能にすることを特徴とする原稿排出装置。
【請求項２】
前記原稿排出ガイドは、第１の原稿排出ガイドに凸形状部を設け、第２の原稿排出ガイドへ凹形状部２ヶ所を設けて、第２の原稿排出ガイドを最大延長時および収納時に、クリック感を付けて凸形状部と凹形状部とが勘合することを特徴とする請求項１に記載の原稿排出装置。
【請求項３】
前記原稿排出ガイドは、第２の原稿排出ガイドの先端が下傾斜している形状であることを特徴とする請求項１または２に記載の原稿排出装置。
【請求項４】
請求項１ないし３のいずれかに記載の原稿排出装置を備えることを特徴とする画像形成装置。
【発明の詳細な説明】
【技術分野】
【０００１】
本発明は、複写機、ファクシミリ、又は、それらの複合機等の画像形成装置とそこに設置される原稿排出装置とに関し、特に、小サイズから大サイズに至るまで種々のサイズの原稿を扱う広幅紙対応型の原稿排出装置に関するものである。
【背景技術】
【０００２】
従来、長尺サイズの原稿を読み取った後、原稿排出口から排出された原稿の収納は、排出側に設けられた湾曲した反転板を利用して原稿読み取り装置上に収納するような機構を備えるものが主流であった。特許文献１に記載の発明は、原稿読み取り装置の原稿排出口に取り付けられ、その原稿排出口から排出されてくる原稿を収納する原稿トレイにおいて、原稿排出口付近に回動可能に連結された平板状のトレイ本体と、トレイ本体の下側部分に設けられた第１の係止部に係止可能である第２の係止部を有し、原稿読み取り装置に回動可能に連結された補助部材とを備えた原稿トレイである。この平板状のトレイ本体は、格子タイプである原稿トレイであるので、厚手の原稿を扱うときは、補助部材の第２の係止部を第１の係止部に係止することによって、トレイ本体を実質上水平状態に保持することが出来る。従って、原稿排出口から排出された厚手の原稿は、無理に曲げられることなく、トレイ本体上へスムーズに収納される。しかし、トレイは、Ａ１Ｙサイズまでの原稿のストックを行なう必要があるために、トレイの長さは、かなり長いものになる。
【０００３】
【特許文献１】特開平５−３５０１９号公報
【発明の開示】
【発明が解決しようとする課題】
【０００４】
上記問題点に鑑み、本発明は、簡単な構成で、信頼性およびユーザーの操作性を向上し、小サイズから大サイズまでの原稿を適切にストックする原稿排出装置を提供する。また、この原稿排出装置を備える画像形成装置を提供することを課題とする。
【課題を解決するための手段】
【０００５】
上記課題を解決するために、請求項１に記載の本発明は、原稿を原稿読み取り装置内の搬送通路に沿って搬送して、原稿排出口の後方の排紙カバーに取り付けられた原稿排出ガイドによって、排出されてくる原稿を保持する原稿排出装置において、前記原稿排出ガイドは、第１の原稿排出ガイドと第２の原稿排出ガイドの２分割構成とし、第２の原稿排出ガイドを回動可能にすることを特徴とする原稿排出装置である。
請求項２に記載の本発明は、前記原稿排出ガイドは、第１の原稿排出ガイドに凸形状部を設け、第２の原稿排出ガイドへ凹形状部２ヶ所を設けて、第２の原稿排出ガイドを最大延長時および収納時に、クリック感を付けて凸形状部と凹形状部とが勘合することを特徴とする請求項１に記載の原稿排出装置である。
請求項３に記載の本発明は、 前記原稿排出ガイドは、第２の原稿排出ガイドの先端が下傾斜している形状であることを特徴とする請求項１または２に記載の原稿排出装置である。
請求項４に記載の本発明は、請求項１ないし３のいずれかに記載の原稿排出装置を備えることを特徴とする画像形成装置である。
【発明の効果】
【０００６】
本発明により、原稿排出ガイドを、第１の原稿排出ガイドと第２の原稿排出ガイドの２分割構成とし、第２の原稿排出ガイドを回動可能とすることで、使用する原稿用紙サイズによって、原稿排出ガイド長さの切り替えを可能にし、小サイズから大サイズまでの原稿を適切にストックすることができる原稿排出装置を提供することが可能となる。
また、第１の原稿排出ガイドに凸形状を設け、第２の原稿排出ガイドに凹形状を２ヶ所設けて、第２の原稿排出ガイドの最大延長時と収納時に、クリック感を付けることで、第２の原稿排出ガイドのセット位置ミスによる原稿の引っ掛かり等の原稿搬送不具合を防止することができる原稿排出装置を提供することが可能となる。
また、第２の原稿排出ガイドの先端を下傾斜の形状にすることで、第２の原稿排出ガイドが回動する際に発生する隣接した原稿排出ガイドへの衝突を防止することができる原稿排出装置を提供することが可能となる。
また、この原稿排出装置を備える画像形成装置を提供することが可能となる。
【発明を実施するための最良の形態】
【０００７】
以下に、本発明を実施するための最良の形態を図面に基づいて説明する。なお、以下の説明はこの発明の最良の形態の例であって、いわゆる当業者は特許請求の範囲内で、変更・修正をして他の実施形態をなすことは容易であり、以下の説明が特許請求の範囲を限定するものではない。
【０００８】
図１は、本発明に係る原稿排出装置を画像形成装置に実装した状態を示す概略構成図である。図２は、本発明に係る原稿排出装置を上から見た図である。
原稿読み取り装置３から排出された原稿１は、マシン上面部を、そのままの排出方向で進み、原稿排出口の後方の排紙カバー４に取り付けられた原稿排出ガイド６本により保持される。
図２に示すように、原稿用紙サイズが、Ａ２Ｙサイズ５長さ（４２０ｍｍ）以下の時は、原稿排出装置における第２の原稿排出ガイド２ｂは収納する。Ａ１Ｙサイズ６長さ（５９４ｍｍ）以上の時は、第２の原稿排出ガイド２ｂは、最大延長位置にセットする。使用する原稿用紙サイズによって、原稿排出ガイド長さの切り替えが出来るので、ユーザーに合った設定が可能である。主にＡ２Ｙサイズ長さ以下の原稿を使用ユーザーは、第２の原稿排出ガイド２ｂを収納し、小スペースでマシンを使用することができる。
【０００９】
図３は、第２の原稿排出ローラを上から見た図で、回動範囲を示す図である。
回動範囲は、０゜〜３１５゜の範囲である。回動することで、Ａ１Ｙサイズ長さ以上の原稿使用時には、ユーザーが原稿排出ガイドへ接触しても、第２の原稿排出ガイド２ｂは回動して逃げるので怪我の防止になり、部品破損の防止にも有効である。
図４は、第２の原稿排出ガイドを最大に延長したときの原稿排出ガイドの側面図である。  図５は、第２の原稿排出ガイドを収納したときの原稿排出ガイドの側面図である。図６は、図４のＡの部分を拡大した図である。
図６に示すように、第２の原稿排出ガイド２ｂを収納時と最大延長位置とにセットするときは、第１の原稿ガイドの凸形状部１０を、収納時は第２の原稿ガイドの凹形状部１１に、最大延長時は第２の原稿ガイドの凹形状部１２に勘合させる。勘合させるときはクリック感があるので、セット位置へ確実にセットでき、操作が簡単になる。第２の原稿排出ガイド２ｂの回動時は、第１の原稿排出ガイド２ａのセット爪１３を中心に回動し、先端が下傾斜しているので、隣接する原稿排出ガイドにあたることなく、スムーズに操作することができる。
【００１０】
図７は、本発明の原稿排出装置の原稿ガイドを最大延長時位置にセットしたときの側面図を示す図である。Ａ０Ｔサイズ（１１８９ｍｍ）の原稿９を読み取った後の排紙でも、原稿をガイドすることにより、排出された転写紙８とオーバーラップしない。
このように容易に、小サイズから大サイズまでの原稿をストックやガイドするための適切な原稿排出ガイドの配置が可能になる。
【図面の簡単な説明】
【００１１】
【図１】本発明に係る原稿排出装置を画像形成装置に実装した状態を示す概略構成図である。
【図２】本発明に係る原稿排出装置を上から見た図である。
【図３】第２の原稿排出ローラを上から見た図で、回動範囲を示す図である。
【図４】第２の原稿排出ガイドを最大に延長したときの原稿排出ガイドの側面図である。
【図５】第２の原稿排出ガイドを収納したときの原稿排出ガイドの側面図である。
【図６】図４のＡの部分を拡大した図である。
【図７】本発明の原稿排出装置の原稿ガイドを最大延長時位置にセットしたときの側面図である。
【符号の説明】
【００１２】
１  原稿
２  原稿排出ガイド
２ａ  第１の原稿排出ガイド
２ｂ  第２の原稿排出ガイド
３  原稿読み取り装置
４  排紙カバー
５  Ａ２Ｙサイズの原稿
６  Ａ１Ｙサイズの原稿
７  Ａ３Ｙサイズの原稿
８  転写紙
９  Ａ０Ｔサイズの原稿
１０  第１排出ガイドの凸形状部
１１  第２排出ガイドの凹形状部
１２  第２排出ガイドの凹形状部
１３  セット爪
【図１】
2005132511.tif 000003
【図２】
2005132511.tif 000004
【図３】
2005132511.tif 000005
【図４】
2005132511.tif 000006
【図５】
2005132511.tif 000007
【図６】
2005132511.tif 000008
【図７】
2005132511.tif 000009